【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
送風機であって、
前記送風機は：
近位開口を有する第１のハウジング部と遠位開口を有する第２のハウジング部とを含み、前記近位開口と前記遠位開口とが同軸上に整列されている、ハウジングと；
前記ハウジングに設けられたステータ構成要素と；
前記第１のハウジング部の前記近位開口と前記ステータ構成要素との間に配置されたインペラであって、複数のインペラブレードを含む、インペラと；
前記インペラを駆動するよう構成されたモータと；
を具備してなり、
前記ステータ構成要素は、その外面に沿って複数の屈曲した空気方向付け溝を含んでおり、前記空気方向付け溝の前縁は、前記インペラブレードの外側先端部から外側へ向けて接線方向に延在しており、かつ、前記インペラブレードから流出した空気を集合させかつ前記インペラから空気を分離させることによって略接線方向から略半径方向へ向けて空気を方向付けるよう構成されており、かつ前記空気方向付け溝は、続いて、空気流が実質的に層流となるように前記遠位開口へ向かって略軸線方向において屈曲経路に沿って空気を方向付けるよう構成されていることを特徴とする送風機。
【請求項２】
前記ステータ構成要素は、９、１１または１３の空気方向付け溝を含むことを特徴とする請求項１に記載の送風機。
【請求項３】
各空気方向付け溝は、前記インペラから流出した空気が前記溝に流入可能なように前記インペラの周縁から略接線方向に延在する近位部と、前記近位部から前記ハウジングの前記遠位開口へ向けて延在する遠位部と、含むことを特徴とする請求項１または請求項２に記載の送風機。
【請求項４】
前記溝は、すべて、前記ステータ構成要素の基部において収束していることを特徴とする請求項３に記載の送風機。
【請求項５】
前記溝の断面積は、前記溝の各々に沿って実質的に一定であることを特徴とする請求項１から請求項４のいずれか一項に記載の送風機。
【請求項６】
前記各溝の深さは、前記溝が前記近位部から前記遠位部へ向けて延在するにつれて増大するか、または深くなっていることを特徴とする請求項３から請求項５のいずれか一項に記載の送風機。
【請求項７】
前記各溝の幅は、前記溝が前記近位部から前記遠位部へ向けて延在するにつれて低減されるか、または狭くなっていくものであり、かつ、前記各溝の深さは、前記溝が前記近位部から前記遠位部へ向けて延在するにつれて増大するか、または深くなっていることを特徴とする請求項５に記載の送風機。
【請求項８】
前記ステータ構成要素は、その中で前記モータを支持するよう構成された中空内部を含むことを特徴とする請求項１から請求項７のいずれか一項に記載の送風機。
【請求項９】
前記インペラは、複数のインペラブレードを含んでおり、空気方向付け溝に対するインペラブレードの比は、共通の、割り切れないものを含んでいることを特徴とする請求項１から請求項８のいずれか一項に記載の送風機。
【請求項１０】
前記ハウジングは、約３０〜５０ｍｍの最大直径を有していることを特徴とする請求項１から請求項９のいずれか一項に記載の送風機。
【請求項１１】
前記送風機は６０ｃｍＨ2Ｏより大きい加圧空気を提供するよう構成されていることを特徴とする請求項１から請求項１０のいずれか一項に記載の送風機。
【請求項１２】
前記ハウジングは、前記モータへの電力接続ポイントをカバーするかまたは保護するよう構成されかつ配置されたハウジング部片を含むことを特徴とする請求項１から請求項１１のいずれか一項に記載の送風機。
【請求項１３】
前記ステータ構成要素の下流に流量センサおよび圧力センサをさらに具備してなることを特徴とする請求項１から請求項１２のいずれか一項に記載の送風機。
【請求項１４】
前記ハウジングは、前記ステータ構成要素の下流にかつ前記流量センサの上流において整流部を含み、それは前記流量センサへ流入する空気流を整流するために構成されかつ配置されていることを特徴とする請求項１３に記載の送風機。
【請求項１５】
前記圧力センサは、前記空気流経路と流体連通したフレキシブルな膜を含み、かつ前記フレキシブルな膜の変位は、前記空気流経路における空気の圧力の表示を提供することを特徴とする請求項１３または請求項１４に記載の送風機。
【請求項１６】
前記圧力センサは、前記流動センサの下流に配置されていることを特徴とする請求項１３から請求項１５のいずれか一項に記載の送風機。
【請求項１７】
前記流量センサと圧力センサとを制御するために前記ハウジングに取り付けられたプリント基板アセンブリをさらに具備してなることを特徴とする請求項１３から請求項１６のいずれか一項に記載の送風機。
【請求項１８】
前記ステータ構成要素は、前記複数の空気方向付け溝を規定するよう協働する第１の部分と第２の部分とを含むことを特徴とする請求項１から請求項１７のいずれか一項に記載の送風機。
【請求項１９】
前記ハウジングの前記近位開口に設けられた受動的な空気バルブアセンブリをさらに具備してなることを特徴とする請求項１から請求項１８のいずれか一項に記載の送風機。
【請求項２０】
前記バルブアセンブリは、
大気と連通しており、かつ、患者の呼吸サイクルの吸気段階中に前記近位開口を介して前記送風機へ空気が流入できるように配置されかつ構成された第１のバルブと、
大気と連通しており、かつ、患者の呼吸サイクルの吐出段階中に前記近位開口を介して前記送風機から空気が流出できるように配置されかつ構成された第２のバルブと、
を含むことを特徴とする請求項１９に記載の送風機。
【請求項２１】
前記送風機は、５００ｇｍｓ未満の重量を有することを特徴とする請求項１から請求項２０のいずれか一項に記載の送風機。
【請求項２２】
前記送風機は、５０〜２００ｇｍｓの重量を有することを特徴とする請求項２１に記載の送風機。
【請求項２３】
前記送風機は、モータの速度の所定の範囲にわたって、８０Ｌ／ｍｉｎまでの流量で相対的に一定の圧力を提供するよう構成されていることを特徴とする請求項１から請求項２２のいずれか一項に記載の送風機。
【請求項２４】
前記モータ速度の範囲は、約３０，０００ｒｐｍから４０，０００ｒｐｍであることを特徴とする請求項２３に記載の送風機。
【請求項２５】
請求項１から請求項２４のいずれか一項に記載の送風機を具備してなることを特徴とする人工呼吸デバイス。
【請求項２６】
前記送風機に接続されるチューブと、前記チューブに接続される患者用インターフェースとをさらに具備してなる請求項２５に記載の送風機を具備してなることを特徴とする人工呼吸デバイス。
【請求項２７】
前記患者用インターフェースは、前記送風機によって提供される相対的に一定の圧力に起因するベントを含まないことを特徴とする請求項２６に記載の人工呼吸デバイス。
【請求項２８】
前記人工呼吸デバイスはＰＡＰデバイスであることを特徴とする請求項２５から請求項２７のいずれか一項に記載の人工呼吸デバイス。
【請求項２９】
患者のための人工呼吸器であって、
前記人工呼吸器は：
加圧空気の供給源を提供するよう構成された送風機であって、近位開口と遠位開口とを有するハウジングと、前記ハウジングに設けられたステータ構成要素と、前記ハウジングの前記近位開口と前記ステータ構成要素との間に配置されたインペラと、前記インペラを駆動するよう構成されたモータと、を含む送風機と；
前記送風機の前記近位開口に設けられ、かつ空気が双方向において流動経路に沿って前記送風機を介して流動できるよう構成されたバルブアセンブリであって、患者の呼吸サイクルの吸気段階中に前記近位開口を介して前記送風機へ空気が流入でき、かつ患者の呼吸サイクルの吐気段階中に前記近位開口を介して前記送風機から空気が流出できるように構成された、バルブアセンブリと；
を具備してなり、
前記ステータ構成要素は、その外面に沿って複数の空気方向付け溝を含んでおり、前記空気方向付け溝の前縁は、前記インペラブレードの外側先端部から外側へ向けて接線方向に延在しており、かつ、前記インペラブレードから流出した空気を集合させかつ前記インペラから空気を分離させることによって略接線方向から略半径方向へ向けて空気を方向付けるよう構成されており、かつ空気流が実質的に層流となるように前記遠位開口へ向かって屈曲経路に沿って空気を方向付けるものであることを特徴とする人工呼吸器。
【請求項３０】
前記送風機は、双方向に流れを測定しかつ前記モータからの熱を伝達するよう構成された流動経路に沿って前記モータに設けられている流動要素を含むことを特徴とする請求項２９に記載の人工呼吸器。
【請求項３１】
前記ハウジングとステータ構成要素とは、前記インペラの周囲にプレナムチャンバを規定するよう協働することを特徴とする請求項３０に記載の人工呼吸器。
【請求項３２】
流動要素に影響を及ぼすことなく、前記ステータ構成要素を介して還流を可能にするため、前記プレナムチャンバから下流において、下流チャンバをさらに具備してなることを特徴とする請求項３１に記載の人工呼吸器。
【請求項３３】
流動経路に沿って前記モータの中央部に設けられた非導電スリーブをさらに具備してなることを特徴とする請求項３０から請求項３２のいずれか一項に記載の人工呼吸器。
【請求項３４】
前記流動要素およびステータ構成要素は、前記モータからの熱を伝達するために熱伝導材料から構成されていることを特徴とする請求項３０から請求項３３のいずれか一項に記載の人工呼吸器。
【請求項３５】
前記流動要素および前記ステータ構成要素は、アルミニウムから構成されていることを特徴とする請求項３４に記載の人工呼吸器。
【請求項３６】
前記送風機の前記遠位開口に設けられた粘性トラップをさらに具備してなり、前記粘性トラップは、患者によって吐き出された粒状物体を捕捉するよう構成された捕捉プレートを提供することを特徴とする請求項２９から請求項３５のいずれか一項に記載の人工呼吸器。
【請求項３７】
前記送風機の前記遠位開口に設けられた熱水交換フィルタをさらに具備してなり、前記熱水交換フィルタは、患者に吸気される空気を調整しかつ／または患者から吐出された粒状物質から前記人工吸気を保護するためのフィルタおよび／またはパッドを含むことを特徴とする請求項２９から請求項３６のいずれか一項に記載の人工呼吸器。
【請求項３８】
前記流動経路の断面積は、低供給源インピーダンスをもたらすために、最大化されておりかつ前記人工呼吸器内の最小デッドスペースとバランスがとれたものとなっていることを特徴とする請求項２９から請求項３７のいずれか一項に記載の人工呼吸器。
【請求項３９】
前記人工呼吸器とは別体のバッテリー電源供給制御ユニットをさらに具備してなり、前記人工呼吸器および制御ユニットの両方が、患者のデータを記録しかつ人工呼吸器の設定および患者の詳細を伝送可能にするよう構成されたマイクロコントローラを含むことを特徴とする請求項２９から請求項３８のいずれか一項に記載の人工呼吸器。
【請求項４０】
前記人工呼吸器は、患者に近接した位置で使用されるよう構成されていることを特徴とする請求項２９から請求項３９のいずれか一項に記載の人工呼吸器。
【請求項４１】
前記人工呼吸器は、頭部着用式システムに組み込まれているか、あるいは患者用インターフェースユニットに組み込まれていることを特徴とする請求項４０に記載の人工呼吸器。
【請求項４２】
前記人工呼吸器は、壁、ベッド、ベッドサイド、車椅子、テーブルまたは椅子を含む構造物に取り付けられ、かつチューブを介して患者用インターフェースに接続されるよう構成されていることを特徴とする請求項４０に記載の人工呼吸器。
【請求項４３】
前記人工呼吸器は、衣類に一体化された支持構造にフィットするよう構成されており、前記衣類は、シャツ、Ｔシャツあるいはパジャマを含むことを特徴とする請求項４０に記載の人工呼吸器。
【請求項４４】
前記人工呼吸器は、ショルダータイプのハーネス、ペンダントタイプの装置、あるいは使用者の体の一部を取り囲むストラップまたはバンドによって支持されていることを特徴とする請求項４０に記載の人工呼吸器。